(57)【要約】【課題】着脱可能なケーブルのプラグを接続する端子を備える電気装置において、端子に接続したプラグが本体から突出することを防止すると共にプラグの着脱作業を安全かつ容易にすることができる電気装置を提供する。【解決手段】電気装置本体と、前記電気装置本体のパネルと、ケーブルのプラグを着脱可能に接続する端子と、前記端子を固定する端子固定部と、前記端子固定部を回動自在に軸支する軸支手段と、前記端子固定部が回動する端に沿って湾曲部を形成するカバー部と、前記端子が前記パネルから突出した位置で前記端子固定部を前記パネルに固定する第１の固定手段と、前記端子が前記電気装置本体に収納された位置で前記端子固定部を前記パネルに固定する第２の固定手段と、前記端子が前記電気装置本体に収納された位置より前記パネルから突出した位置まで前記端子固定部を押圧する押圧手段とを備える。【選択図】      図２
2004362843.tif 000002
【特許請求の範囲】
【請求項１】
電気装置本体と、前記電気装置本体のパネルと、ケーブルのプラグを着脱可能に接続する端子と、前記端子を固定する端子固定部と、前記端子固定部を回動自在に軸支する軸支手段と、前記端子固定部が回動する端に沿って湾曲部を形成するカバー部と、前記端子が前記パネルから突出した位置で前記端子固定部を前記パネルに固定する第１の固定手段と、前記端子が前記電気装置本体に収納された位置で前記端子固定部を前記パネルに固定する第２の固定手段と、前記端子が前記電気装置本体に収納された位置より前記パネルから突出した位置まで前記端子固定部を押圧する押圧手段とを備えることを特徴とする電気装置。
【発明の詳細な説明】
【０００１】
【発明の属する技術分野】
本発明は、他の電気装置と接続する着脱可能なケーブルのプラグを接続する端子を備える電気装置に関する。
【０００２】
【従来の技術】
図４は、従来の電気装置の一例を示す斜視図である。
図５は、従来の電気装置を示す断面図である。
電気装置１００は、端子１０、本体２００、背面パネル３００、端子固定部４００及び図示しない電気回路を備える。背面パネル３００は、本体２００の背面に取り付けられている。背面パネル３００は、貫通する孔３１０を備える。端子固定部４００は、貫通する孔４１０を備え、図示しないビスにより、背面パネル３００に固定されている。
【０００３】
端子１０は、図示しない他の電気装置と接続するケーブル２１の一端に備えられたプラグ２０を着脱可能に接続する。端子１０は、図示しないビスにより、先端が孔４１０から突出した状態で端子固定部４００に固定されている。
【０００４】
端子１０には、配線基板１１が半田付けにより固定されている。配線基板１１は、本体２００の内部に備えられる電気回路と接続した配線基板１３と、コネクタ１２及びコネクタ１４を介してケーブル１５によって接続されている。端子１０にプラグ２０を接続する場合、プラグ２０を手で持ち、矢印Ａ方向へ押し込むことによりプラグ２０を端子１０に接続する。プラグ２０を離脱する場合、プラグ２０を手で持ち、矢印Ｂ方向へ引っ張ることで端子１０からプラグ２０が離脱する。
【０００５】
図５に示すように、従来の電気装置１００は、端子１０に接続したプラグ２０が背面パネル３００から後方に突出する。そのため、電気装置１００を壁に近接して配置しようとする場合、背面パネル３００と壁との間にプラグ２０の突出分のスペースを取る必要があった。また、端子１０に接続したプラグ２０に物などが当たって、プラグ２０と端子１０の接続が不完全な状態になったり、プラグ２０が端子１０から外れてしまうことがあった。
【０００６】
更に、プラグ２０が接続されていない状態では、端子１０が電気装置１００の外部に露出した状態となり、電気装置１００の周囲に浮遊している塵埃が端子１０に堆積する。この状態から端子１０にプラグ２０を接続すると、堆積した塵埃によって、端子１０とプラグ２０との間で接触不良が発生することがあった。
【０００７】
前述した課題を解決するために、装置の表面より凹んだ外装面を備え、当該外装面にコネクタを固定する構成とすることにより、端子と接続したモジュラージャックが装置から突出することを防止する装置（例えば、特許文献１参照）がある。また、装置の内部にコネクタを配設し、コネクタにケーブルを接続した後、着脱可能なカバーを装着する構成とした装置（例えば、特許文献２参照）がある。これらの装置を従来の電気装置に用いることにより、電気装置を壁に近接して配置することができ、また、端子とプラグの接続不良を防止することができる。
【０００８】
【特許文献１】
特開２０００−３４９４６０号公報
【０００９】
【特許文献２】
特開平９−１６７８９４号公報
【００１０】
【発明が解決しようとする課題】
装置の表面より凹んだ外装面に端子を固定した装置の場合は、プラグの着脱作業の際、凹んだ部分にプラグを持つための手が入り難いため、プラグの着脱作業が困難になる。また、端子を電気装置の内部に配設し、着脱可能なカバーを備える構成の場合は、プラグを着脱するために装置内部に手を入れた際、電気回路に手が接触し、電気回路に通電している電気によって感電することがある。
【００１１】
本発明は、着脱可能なケーブルのプラグを接続する端子を備える電気装置において、端子に接続したプラグが本体から突出することを防止すると共にプラグの着脱作業を安全かつ容易にすることができる電気装置を提供することを目的とする。
【００１２】
【課題を解決するための手段】
本願の請求項１記載の発明は、電気装置において、電気装置本体と、前記電気装置本体のパネルと、ケーブルのプラグを着脱可能に接続する端子と、前記端子を固定する端子固定部と、前記端子固定部を回動自在に軸支する軸支手段と、前記端子固定部が回動する端に沿って湾曲部を形成するカバー部と、前記端子が前記パネルから突出した位置で前記端子固定部を前記パネルに固定する第１の固定手段と、前記端子が前記電気装置本体に収納された位置で前記端子固定部を前記パネルに固定する第２の固定手段と、前記端子が前記電気装置本体に収納された位置より前記パネルから突出した位置まで前記端子固定部を押圧する押圧手段とを備えることを特徴とする。
【００１３】
【発明の実施の形態】
本発明の実施の形態を図面を参照して説明する。なお、従来技術で示した構成要素と同一の部分については同符号を用いる。
【００１４】
図１は、本発明の電気装置の一実施例を示す斜視図である。
図２は、本実施例の電気装置を示す図で、図２（ａ）は背面図、図２（ｂ）は断面図である。
電気装置１は、本体２、背面パネル３、端子固定部４、シャフト５、スプリング６、カバー部７及び端子１０、ビス３０、ビス３１ａ、ビス３１ｂ及び図示しない電気回路を備える。
【００１５】
背面パネル３は、本体２の背面に取り付けられている。背面パネル３は、薄板状の部材から成り、貫通する孔３０１を備える。背面パネル３は、孔３０１より上方の位置に孔３０４、孔３０５ａ及び孔３０５ｂを備え、孔３０１より下方の位置に孔３０６を備える。背面パネル３は、孔３０１の下部の左側及び右側の位置に、それぞれ軸受部３０２ａ及び３０２ｂを備える。軸受部３０２ａ及び３０２ｂは、それぞれ水平方向に貫通する孔３０３ａ及び３０３ｂを備える。
【００１６】
端子固定部４は、薄板状の部材から成り、略中央に貫通する孔４０１を備え、上部に凹部４０３を備える。端子固定部４は、下部に水平方向に貫通する孔４０２と、本体２の内側へ突出する凸部４０５を備える。凹部４０３及び凸部４０５には、それぞれ雌ねじ部４０４を備える。
【００１７】
端子１０は、図示しない他の電気装置と接続するケーブル２１の一端に備えるプラグ２０を着脱可能に接続する。端子１０は、図示しないビスにより、先端が孔４０１から突出した状態で端子固定部４に固定されている。
【００１８】
端子１０には、配線基板１１が半田付けにより固定されている。配線基板１１は、本体２の内部に備えられる電気回路と接続した配線基板１３と、コネクタ１２及びコネクタ１４を介してケーブル１５によって接続されている。
【００１９】
シャフト５は、孔４０２を介して孔３０３ａ及び３０３ｂに挿入されることにより、端子固定部４を回動自在に軸支する。スプリング６は、コイル状を成し、シャフト５に挿入され、シャフト５を軸に端子固定部４を矢印Ｃ方向へ押圧する。
【００２０】
カバー部７は、上部に雌ねじ部７０１ａ及び雌ねじ部７０１ｂを備え、下部に端子固定部４がシャフト５を軸に回動する端に沿って湾曲に形成された湾曲部７０２を備える。カバー部７は、ビス３１ａ及びビス３１ｂが孔３０５ａ及び孔３０５ｂに挿入され、雌ねじ部７０１ａ及び雌ねじ部７０１ｂに締め付けられることにより、背面パネル３に固定される。
【００２１】
端子１０にプラグ２０を着脱する場合は、図２（ａ）及び図２（ｂ）に示すように、凹部４０３を背面パネル３に当接させ、孔３０４を介して雌ねじ部４０４にビス３０を締め付ける。この結果、端子固定部４は、端子１０の先端が背面パネル３から突出した状態で背面パネル３に固定される。端子１０にプラグ２０を接続する場合、プラグ２０を手で持ち、矢印Ａ方向へ押し込むことによりプラグ２０を端子１０に接続する。プラグ２０を離脱する場合、プラグ２０を手で持ち、矢印Ｂ方向へ引っ張ることで端子１０からプラグ２０が離脱する。
【００２２】
図３は、図２に示す状態から端子１０に接続したプラグ２０を本体２の内部に収納した状態を示す断面図である。
端子１０にプラグ２０を接続した状態からプラグ２０を本体２の内部に収納するには、先ず、雌ねじ部４０４に締め付けたビス３０を緩め、ビス３０を取外す。次に、端子固定部４を本体２の内部の方向へ押圧し、シャフト５を軸に矢印Ｄ方向へ回動させ、凸部４０５が背面パネル３に当接した位置とする。次に、孔３０６を介して雌ねじ部４０６にビス３０を締め付ける。この結果、端子固定部４は、プラグ２０を本体２の内部に収納した状態で背面パネル３に固定される。
【００２３】
以上のように、電気装置１は、図２（ａ）及び図２（ｂ）に示すように、凹部４０３が背面パネル３に当接した状態で、孔３０４を介して雌ねじ部４０４にビス３０を締め付けることにより、端子１０の先端が背面パネル３から突出するので、プラグ２０を容易に着脱することができる。また、図３に示すように、端子固定部４を矢印Ｄ方向へ回動し、凸部４０５が背面パネル３に当接した位置とし、孔３０６を介して雌ねじ部４０６にビス３０を締め付けることにより、プラグ２０を本体２の内部に収納することができる。
【００２４】
図３に示す状態からプラグ２０を端子１０から離脱させる場合は、雌ねじ部４０６に締め付けたビス３０を緩めて雌ねじ部４０６から取外す。すると、図２（ｂ）に示すように、端子固定部４は、スプリング６の押圧力により、自動的に矢印Ｃ方向へ回動し、凹部４０３が背面パネル３に当接した状態となる。よって、プラグ２０を容易に離脱することができる。
【００２５】
端子１０にプラグ２０が接続されていない場合は、端子固定部４を矢印Ｄ方向へ回動させ、凸部４０５を背面パネル３に当接させ、孔３０６を介してビス３０を雌ねじ部４０６に締め付けた状態とする。この結果、端子１０は、本体２の内部に収納され、電気装置１の周囲に浮遊している塵埃が端子１０に堆積することを防止することができる。
【００２６】
本実施例の電気装置１は、カバー部７を備えることにより、図３に示すように、端子固定部４を矢印Ｄ方向へ回動させる際、湾曲部７０２によって、プラグ２０を持つ手が電気回路に触れることを阻止する。このことから、プラグ２０を着脱する作業を安全に行うことができる。
【００２７】
【発明の効果】
本発明によれば、着脱可能なケーブルのプラグを接続する端子を備える電気装置において、端子に接続したプラグが本体から突出することを防止すると共にプラグの着脱作業を安全かつ容易にすることができる電気装置を提供することができる。
【図面の簡単な説明】
【図１】本発明の電気装置の一実施例を示す斜視図。
【図２】本実施例の電気装置を示す図で、図２（ａ）は背面図、図２（ｂ）は断面図。
【図３】図２に示す状態から端子１０に接続したプラグ２０を本体２の内部に収納した状態を示す断面図。
【図４】従来の電気装置の一例を示す斜視図。
【図５】従来の電気装置を示す断面図。
【符号の説明】
１  電気装置、２  本体、３  背面パネル、３０１  孔、３０２  軸受部、
３０３  孔、３０４  孔、３０５  孔、３０６  孔、
４  端子固定部、４０１  孔、４０２  孔、４０３  凹部、４０４  雌ねじ部、４０５  凸部、４０６  雌ねじ部、５  シャフト、６  スプリング、
７  カバー部、７０１  雌ねじ部、７０２  湾曲部、
１０  端子、１１  配線基板、１２  コネクタ、１３  配線基板、
１４  コネクタ、１５  ケーブル、２０  プラグ、２１  ケーブル、
３０  ビス、３１  ビス、
１００  電気装置、２００  本体、３００  背面パネル、３１０  孔、
４００  端子固定部、４１０  孔
【図１】
2004362843.tif 000003
【図２】
2004362843.tif 000004
【図３】
2004362843.tif 000005
【図４】
2004362843.tif 000006
【図５】
2004362843.tif 000007